(57)【要約】【課題】入球口に入球した遊技球の球詰まりを抑制可能な遊技機の提供を目的とする。【解決手段】本発明に係る遊技機１０は、遊技球が入球可能な第１大入賞口３１と、第１大入賞口３１の下端縁を中心に回動して第１大入賞口３１を開閉する第１開閉扉４１と、を有する第１大入賞部３０を備えている。第１大入賞部３０には、第１大入賞口３１に入球した遊技球を球排出路３５に連絡する検出孔３４Ａへ転動させる第１入賞部屋３２が設けられる。そして、第１開閉扉４１の下端縁から突出して第１開閉扉４１の回動軸より下方に配置される突片４７が、第１入賞部屋３２に遊技球がある状態で第１大入賞口３１に新たな遊技球が入球したときに、その新たな遊技球の勢いを増大可能となっている。【選択図】図８
2019058440.tif 000002
【特許請求の範囲】
【請求項１】
遊技球が入球可能な入球口と、前記入球口の下端縁を中心に回動して前記入球口を開閉する可動扉と、を有する入球装置を備えた遊技機であって、
前記入球装置には、前記入球口に入球した遊技球を排出口へ転動させる傾斜転動面を底部に有する転動領域が設けられ、
前記可動扉の下端縁には、前記可動扉の回動軸より下方に配置されて、前記可動扉が開状態となったときに遊技球が乗り上げ可能な突片が設けられ、
前記突片は、前記可動扉が開状態のときに前記傾斜転動面より上側に配置されて、前記傾斜転動面との間に段差を形成する遊技機。
【請求項２】
請求項１に記載の遊技機において、
前記可動扉の下端より部分の裏面には、開状態において該裏面で受け止めた遊技球を前記入球口へと誘導する誘導突部が設けられ、
前記突片は、前記誘導突部に隣接配置されて、前記誘導突部により誘導された遊技球を受け止め可能に構成されている遊技機。
【請求項３】
請求項１又は２に記載の遊技機において、
遊技球を左右方向の一方側へ向けて下るように流下させる傾斜案内手段を備え、
前記可動扉は、前記傾斜案内手段によって案内されてきた遊技球を受け止めて前記入球口へ入球可能に構成され、
前記突片は、前記可動扉の下端縁において左右方向の他方側に配置されている遊技機。
【請求項４】
請求項３に記載の遊技機において、
前記排出口は、左右方向の他方側に配置されると共に、前記傾斜転動面は、左右方向の他方側に下るように傾斜している遊技機。
【請求項５】
請求項４に記載の遊技機において、
前記転動領域には、左右方向の他方側の端部に設けられて前記転動領域の入口を狭める入球規制部材が設けられ、
前記突片は、前記入球規制部材に対し左右方向の一方側から近接する遊技機。
【請求項６】
請求項５に記載の遊技機において、
前記転動領域には、前記入球口に対向配置される奥壁が設けられ、
前記奥壁の左右方向の他方側の端部には、前記入球口から離れるように窪んだ陥没部が設けられている遊技機。
【発明の詳細な説明】
【技術分野】
【０００１】
本発明は、入球口を有する遊技機に関する。
【背景技術】
【０００２】
特許文献１には、入球口の下端縁を中心に回動する可動扉によって入球口が開閉される遊技機が示されている。
【先行技術文献】
【特許文献】
【０００３】
【特許文献１】特開２０１４−２０４７６５号公報（段落［００２３］、図４，４）
【発明の概要】
【発明が解決しようとする課題】
【０００４】
特許文献１の遊技機では、入球口に複数の遊技球が続けて入球したときに、先に入球した遊技球と後から入球した遊技球の両方の勢いが低減されると、それら遊技球が噛み合って球詰まりを起こすという問題が考えられる。
【０００５】
本発明は、上記事情に鑑みてなされたもので、入球口に入球した遊技球の球詰まりを抑制可能な遊技球の提供を目的とする。
【課題を解決するための手段】
【０００６】
第１の手段は、遊技球が入球可能な入球口と、前記入球口の下端縁を中心に回動して前記入球口を開閉する可動扉と、を有する入球装置を備えた遊技機であって、前記入球装置には、前記入球口に入球した遊技球を排出口へ転動させる傾斜転動面を底部に有する転動領域が設けられ、前記可動扉の下端縁には、前記可動扉の回動軸より下方に配置されて、前記可動扉が開状態となったときに遊技球が乗り上げ可能な突片が設けられ、前記突片は、前記可動扉が開状態のときに前記傾斜転動面より上側に配置されて、前記傾斜転動面との間に段差を形成する遊技機である。
【発明の効果】
【０００７】
本発明によれば、入球口に入球した遊技球の球詰まりを抑制可能となる。
【図面の簡単な説明】
【０００８】
【図１】第１実施形態に係る遊技機の正面図
【図２】遊技盤の正面図
【図３】第１大入賞部及び第２大入賞部の正面図
【図４】第１入賞部屋及び第２入賞部屋の斜視図
【図５】第１入賞部屋及び第２入賞部屋の正断面図
【図６】（Ａ）閉状態における第１入賞部屋と第１開閉扉を模式的に示す断面図、（Ｂ）開状態における第１入賞部屋と第１開閉扉を模式的に示す断面図
【図７】第１入賞部屋の内部構造を説明するための斜視図
【図８】（Ａ）閉状態における第１開閉扉の突片と第１入賞部屋の配置を示す断面図、（Ｂ）開状態における第１開閉扉の突片と第１入賞部屋の配置を示す断面図
【図９】開状態における第１開閉扉と第１入賞部屋の配置を示す断面図
【発明を実施するための形態】
【０００９】
［第１実施形態］
図１に示されるように、本実施形態の遊技機１０は、パチンコ遊技機であって、前側が前面枠１０Ｚにて覆われており、その前面枠１０Ｚに形成されたガラス窓１０Ｗを通して図２に示される遊技盤１１の遊技領域Ｒ１が視認可能になっている。なお、以下の説明において、特記しない限り「右」及び「左」とは、遊技機１０を前方から見た場合の「右」及び「左」を指すものとする。
【００１０】
図１に示されるように、前面枠１０Ｚのうちガラス窓１０Ｗより下方には、上皿２６と下皿２７が上下２段にして設けられ、下皿２７の右側には発射用ハンドル２８が設けられている。発射用ハンドル２８を回動操作すると、上皿２６に収容された遊技球が遊技領域Ｒ１に向けて弾き出される。
【００１１】
図２に示されるように、遊技領域Ｒ１は全体が略円形状となっていて、ガイドレール１２により囲まれている。遊技盤１１のうち遊技領域Ｒ１の中央には、表示開口１１Ｈが貫通形成され、この表示開口１１Ｈを通して、表示装置１３の表示画面１３Ｇが視認可能となっている。
【００１２】
表示開口１１Ｈの開口縁には、表示装飾枠２３が取り付けられている。表示装飾枠２３は、遊技盤１１の前面側から表示開口１１Ｈに嵌め込まれ、遊技盤１１の前面から突出して遊技領域Ｒ１を流下する遊技球が表示装飾枠２３の内側に進入することを規制している。
【００１３】
遊技領域Ｒ１のうち表示装飾枠２３の下方における左右方向の中央部には、センター始動入賞口１４Ａ及びアウト口１６が、上から順に並べて設けられている。センター始動入賞口１４Ａは、ポケット構造をなし、その上面の開口部に遊技球が入球すると特別図柄当否判定が行われて、その特別図柄当否判定の結果が表示画面１３Ｇにて表示される。
【００１４】
表示装飾枠２３の右側には、始動ゲート１８が設けられると共に、表示装飾枠２３の右辺部のうち始動ゲート１８より下方位置には、サイド始動入賞口１４Ｂが形成されている。始動ゲート１８は、遊技球が潜って通過可能な門形構造をなし、遊技球が始動ゲート１８を通過すると普通図柄当否判定が行われる。また、サイド始動入賞口１４Ｂは、右側に開口し、可動片１４Ｈによって開閉される。具体的には、可動片１４Ｈは、通常は、鉛直に起立した閉位置に配置され、上述の普通図柄当否判定の結果が当りとなったことを条件にして、下端部を中心に回動し、横倒しとなった開位置（図２に示される位置）に配置される。開位置に配置された可動片１４Ｈは、上方から流下する遊技球を受け止めてサイド始動入賞口１４Ｂへと案内する。センター始動入賞口１４Ａと同様に、サイド始動入賞口１４Ｂに遊技球が入球したときも、特別図柄当否判定が行われ、その結果が表示画面１３Ｇにて表示される。
【００１５】
表示装飾枠２３の右下には、左下がりに傾斜し且つ複数の球落下口２５Ａを有した傾斜誘導部２５が形成されている。傾斜誘導部２５は、表示装飾枠２３の右側に形成された右側流下路２４Ｒを流下してきた遊技球を受け止めて左側へと誘導し、球落下口２５Ａから遊技球を落下させる。なお、本実施形態では、傾斜誘導部２５は、複数の釘を列状に並べて構成される道釘と、樹脂ブロック１９の上面１９Ｊとで構成されている。
【００１６】
本実施形態では、傾斜誘導部２５に設けられた球落下口２５Ａが２つとなっている。そして、左側の球落下口２５Ａの下方に、第１大入賞部３０の第１大入賞口３１と第２大入賞部６０の第２大入賞口６１が上下に並べて設けられている。また、右側の球落下口２５Ａの下方には、遊技球を受け入れて第２大入賞口６１より下方に流下させる迂回路２５Ｕが設けられている。
【００１７】
第１大入賞口３１は、横長矩形状をなして前方に開放し、第１開閉扉４１によって開閉される。第１開閉扉４１は、第１大入賞口３１の下辺部を中心にして回動可能となっていて、通常は、略鉛直に起立した状態に保持されて、第１大入賞口３１を閉塞している（図３参照）。第２大入賞口６１は、第１大入賞口３１より幅広な横長矩形状をなして前方に開放し、第２開閉扉８１によって開閉される。第２開閉扉８１は、第２大入賞口６１の下辺部を中心にして回動可能となっていて、通常は、起立姿勢に保持されて、第２大入賞口６１を閉塞している（図３参照）。なお、第１大入賞口３１と第２大入賞口６１とは、右辺部が揃えて配置されている。
【００１８】
第１大入賞口３１と第２大入賞口６１は、上述した特別図柄当否判定の結果が当りとなったことを条件にして行われる大当り遊技の実行中に開放される。具体的には、大当り遊技が実行されると、第１開閉扉４１と第２開閉扉８１の何れか一方が、所定期間（例えば、１０秒）に亘って前方に倒れる。これにより、第１大入賞口３１と第２大入賞口６１の何れか一方に遊技球が入球可能となる。ここで、何れか一方の大入賞口３１，６１を入賞可能状態（所定期間内に繰り返し行われる開閉動作も含む）としてから入賞不可状態とするまでの（開放状態から閉塞状態までの）動作を「ラウンド」と称すると、１回の大当り遊技は、所定回数（例えば、１６ラウンド）のラウンドが実行されるまで継続する。１回のラウンドは、大入賞口３１，６１の開放時間が予め設定された上限時間に達するか、又は、規定上限数（例えば、１０個）の遊技球が入賞すると終了する。なお、本実施形態では、第１大入賞口３１は、所定のラウンド（例えば、３ラウンド目）で開放される。
【００１９】
図２に示されるように、遊技領域Ｒ１には、遊技球が入球可能な一般入賞口２１が複数設けられている。一般入賞口２１は、センター始動入賞口１４Ａと同様に、ポケット構造をなし、遊技球を受け入れ可能となっている。詳細には、一般入賞口２１は、遊技領域Ｒ１における左下部分とサイド始動入賞口１４Ｂの右側に配置されている。なお、センター始動入賞口１４Ａ、サイド始動入賞口１４Ｂ、第１大入賞口３１、第２大入賞口６１及び一般入賞口２１の何れかに遊技球が入球すると、各入賞口に対応して設定された所定数の賞球が上皿２６に払い出される。また、上記の何れの入賞口にも入球しなかった遊技球は、遊技領域Ｒ１の下端に配置されたアウト口１６に取り込まれる。
【００２０】
以下、第１大入賞部３０及び第２大入賞部６０について詳説する。図４，５に示されるように、第１大入賞部３０は、第１大入賞口３１の後側に、前方に開放した横長の箱状をなす第１入賞部屋３２を備えて、第１大入賞口３１に入球した遊技球を第１入賞部屋３２に受け入れるようになっている。図５に示されるように、第１入賞部屋３２の底壁３２Ｂは、右下がりに傾斜していて、第１入賞部屋３２に受け入れられた遊技球は、底壁３２Ｂの傾斜によって右側に誘導される。第１入賞部屋３２の右側には、球排出路３５が備えられていて、第１入賞部屋３２の右側壁３２Ｒ（図４参照）には、第１入賞部屋３２と球排出路３５とに連通する検出孔３４Ａを有した検出スイッチ３４が備えられている。そして、遊技球が検出孔３４Ａを通過すると、第１大入賞部３０への遊技球の入賞が確定し、その遊技球が球排出路３５を通って排出される。
【００２１】
図５，７に示されるように、第１入賞部屋３２の奥壁３２Ｄの左側部分からは、左右方向に沿って延在するガイドリブ５３が突出している。ガイドリブ５３は、第１入賞部屋３２の高さ方向の中間部で、上下方向に対をなして並べられている。なお、上側のガイドリブ５３は、略水平に配置され、下側のガイドリブ５３は、若干右下がりに傾斜している。
【００２２】
ガイドリブ５３の左右方向の中間部には、左側を段付き状に前側へ突出させる段差部５３Ｄが設けられている。ガイドリブ５３のうち段差部より左側に配置される左側誘導部５３Ｌの奥壁３２Ｄからの突出量は、第１入賞部屋３２の奥行きとほぼ同じ大きさになっていて、第１入賞部屋３２の間口は、左側誘導部５３Ｌによって狭められている。具体的には、左側誘導部５３Ｌは、右側に向かうにつれて奥壁３２Ｄからの突出量が小さくなる台形状をなし、ガイドリブ５３のうち段差部５３Ｄより右側に配置される右側誘導部５３Ｒは、右側へ尖った三角形状をなしている。そして、左側誘導部５３Ｌと右側誘導部５３Ｒの前端は共に、右側へ向かうにつれて第１入賞部屋３２の奥側へ向かうように傾斜している。
【００２３】
図４，６，７に示されるように、第１入賞部屋３２における右側部分の前端寄り位置には、第１入賞部屋３２の間口を狭める入球規制部材５１が設けられている。入球規制部材５１は、第１入賞部屋３２の底壁３２Ｂと天井壁３２Ｔを連絡する柱状をなし（図４，７参照）、入球規制部材５１の断面形状は、第１入賞部屋３２の奥側に尖った三角形状をなしている（図６参照）。そして、入球規制部材５１の左側を向く面が、右側へ向かうにつれて第１入賞部屋３２の奥側へと向かう第１傾斜面５１Ａとなっていて、入球規制部材５１の右側を向く面が、右側へ向かうにつれて第１入賞部屋３２の手前側へと向かう第２傾斜面５１Ｂとなっている。なお、詳細には、第２傾斜面５１Ｂは、第１入賞部屋３２の手前側へ凸となるように緩やかに湾曲している。
【００２４】
第１入賞部屋３２の奥壁３２Ｄのうち入球規制部材５１の後側に配置される部分には、第１入賞部屋３２の奥側（図６（Ａ）では上側）に凹んだ陥没部５２が形成されている。陥没部５２の内面は、第１入賞部屋３２の奥側へ凸となるように椀状に湾曲し、陥没部５２の内面の右側の端縁が検出スイッチ３４の検出孔３４Ａの開口縁に近接している。なお、陥没部５２の内面の右側部分は、入球規制部材５１の第２傾斜面５１と略平行に配置される。
【００２５】
また、図７に示されるように、陥没部５２の内面からは、陥没部５２の内面に沿った円弧状をなす円弧リブ５４が突出している。円弧リブ５４は、陥没部５２の高さ方向の中間部で、上下方向に対をなして並べられている。１対の円弧リブ５４，５４は、略平行に配置され、共に右下がりに傾斜している。
【００２６】
図５に示されるように、球排出路３５は、第１入賞部屋３２の右側位置から下方へ延びる縦流路３５Ａと、縦流路３５Ａの下端部から左側へ延びて第２大入賞部６０の下方（詳細には、後述する第２入賞部屋６２の右側部分の床下）を通過する横流路３５Ｂと、を備えている。横流路３５Ｂの途中には、Ｖ入賞口３６が設けられている。Ｖ入賞口３６は、横流路３５Ｂの底壁に貫通形成され、通常は、板材３７によって閉塞されている。所定のＶ開放条件が成立すると、板材３７が遊技盤１１の後側へとスライドし、Ｖ入賞口３６が開放される。そして、球排出路３５を通過する遊技球は、Ｖ開放条件の成立時には、Ｖ入賞口３６に入球し、Ｖ開放条件の非成立時には、球排出路３５の末端に配設された末端排出口３８にて排出される。
【００２７】
図３に示されるように、第１開閉扉４１は、矩形板状の扉本体４２と、閉状態における扉本体４２の下端部から左右両側に突出した回動軸部４１Ｊ，４１Ｊとを備えている。回動軸部４１Ｊ，４１Ｊは、第１大入賞口３１の開口縁の両側部に回動可能に支持される。また、回動軸部４１Ｊには、第１開閉扉４１が閉状態のときに、前方に突出する当接突部４３（図８（Ａ）参照）が設けられている。当接突部４３は、第１開閉扉４１が回動軸部４１Ｊを中心に回動して開状態となったときに、第１大入賞部３０の底部に設けられた位置決め壁４５（図８（Ｂ）参照）と当接して、第１開閉扉４１を位置決めする。なお、位置決め壁４５は、第１入賞部屋３２の底壁３２Ｂの前端から垂下した垂下壁４４の下端部から前方に突出している（図７参照）。
【００２８】
図６（Ｂ）に示されるように、扉本体４２の左右両辺部からは、１対のサイド突片４１Ｓ，４１Ｓが裏側に突出し、扉本体４２の裏面で受け止めた遊技球が左右両側から落下することを抑制可能となっている。また、扉本体４２の裏面の両側部には、第１開閉扉４１が開状態のときに、扉本体４２の裏面で受け止めた遊技球を扉本体４２の幅方向中央側へと誘導する誘導突部４２Ｔが設けられている。また、扉本体４２の左端部からは、第１開閉扉４１を開閉させるための駆動源（図示せず）からの動力を受けるアーム４６が後側に突出している。
【００２９】
図４に示されるように、第２大入賞部６０は、第２大入賞口６１の後側に、前方に開放した横長の箱状をなす第２入賞部屋６２を備えて、第２大入賞口６１に入球した遊技球を第２入賞部屋６２に受け入れるようになっている。図５に示されるように、第２入賞部屋６２の底壁６２Ｂは、左下がりに傾斜していて、第２入賞部屋６２に受け入れられた遊技球は、底壁６２Ｂの傾斜によって左側に誘導される。底壁６２Ｂの左側部分には、段付き状に凹んだ受容凹部６３が形成されていて、受容凹部６３の下方には、１対の球排出路６５，６５が横並びに設けられている。そして、受容凹部６３の底部に、第２入賞部屋６２と球排出路６５とに連通する検出孔６４Ａを有した検出スイッチ６４が対をなして備えられている。
【００３０】
図３に示されるように、第２開閉扉８１は、矩形板状の扉本体８２と、閉状態における扉本体８２の下端部から左右両側に突出した回動軸部８１Ｊ，８１Ｊとを備えている。回動軸部８１Ｊ，８１Ｊは、第２大入賞口６１の開口縁の両側部に回動可能に支持される。扉本体８２の左右両辺部からは、図示しない１対のサイド突片が裏側に突出し、扉本体８２の裏面で受け止めた遊技球が左右両側から落下することを抑制可能となっている。また、扉本体８２の左右両辺部からは、第２開閉扉８１が開状態となったときに、第２大入賞部６０の底部に設けられた位置決め壁８５（図４参照）と当接して、第２開閉扉８１を位置決めする当接突壁８３，８３が表側に突出している。なお、位置決め壁８５は、第２入賞部屋６２の底壁６２Ｂの前端から垂下した垂下壁８４の下端部から前方に突出している（図４参照）。
【００３１】
ところで、本実施形態の遊技機１０では、上述したように、傾斜誘導路２５によって左側へ案内された遊技球が第１大入賞口３１へ入球可能となる（図２参照）。そして、第１大入賞口３１を通って第１入賞部屋３２に受け入れられた遊技球は、底壁３２Ｂの傾斜によって右側へと転動する（図５参照）。即ち、遊技機１０では、第１大入賞口３１に入球した遊技球は、第１大入賞口３１に入球する前の流下方向とは逆方向である右側へと向かうことになり、第１入賞部屋３２内では、遊技球の勢いが弱くなる傾向にある。ここで、第１大入賞口３１に入った遊技球が第１入賞部屋３２で右側へと転動しているときに、第１大入賞口３１の右側部分から第１入賞部屋３２に遊技球が入ると、後から入った遊技球が先に入った遊技球の流れを阻害して、第１入賞部屋３２内で２個の遊技球が噛み合う球噛みが発生するという問題が起こり得る。この問題を防ぐべく、遊技機１０では、第１大入賞部３０が以下の構成を備えている。
【００３２】
図３に示されるように、第１開閉扉４１の扉本体４２には、第１開閉扉４１が閉状態のときに下方へ突出する突片４７が備えられている。突片４７は、扉本体４２の右側寄り位置に配置されている。図６（Ｂ）に示されるように、突片４７は、第１入賞部屋３２に備えられた入球規制部材５１に左側から近接する。具体的には、突片４７は、第１開閉扉４１が開状態となったときに、第１入賞部屋３２の底壁３２Ｂのうち入球規制部材５１に左側から近接する部分に前方から近接する。また、突片４７は、第１開閉扉４１が開状態となったときに、扉本体４２の右側部に形成された誘導突部４２Ｔの左側端縁の真後ろに配置され、その誘導突部４２Ｔによって誘導される遊技球を受け止め可能となっている。なお、第１開閉扉４１の当接突部４３（図８（Ｂ）参照）と当接する位置決め壁４５には、突片４７との干渉を避けるための切欠き４５Ｋが設けられている。
【００３３】
図８（Ｂ）に示されるように、第１開閉扉４１が開状態のとき、突片４７は、第１入賞部屋３２の底壁３２Ｂのうち突片４７の真後ろに配置される部分よりも高い位置に配置され、突片４７と底壁３２Ｂとの間には、段差Ｄ１が形成される。従って、突片４７の上を転動してきた遊技球は、第１入賞部屋３２に入るときに、段差Ｄ１によって増勢されることになる。なお、図９に示されるように、扉本体４２のうち突片４７より左側の部分は、底壁３２Ｂよりも低い位置に配置されて、底壁３２Ｂとの間に段差Ｄ２を形成する。従って、扉本体４２のうち突片４７より左側の部分を転動してきた遊技球は、第１入賞部屋３２に入るときに、段差Ｄ２によって減勢されることになる。
【００３４】
本実施形態の遊技機１０によれば、第１開閉扉４１下端縁から突出した突片４７の上に遊技球が乗ると、第１開閉扉４１が閉まる方向に僅かに傾くことで遊技球の勢いが増大される。これにより、第１大入賞口３１に先に入球した遊技球と後から入球した遊技球の両方の勢いが低減されることが抑えられる。その結果、遊技球の噛み合いが起こり難くなり、第１大入賞口３１に入球した遊技球の球詰まりが抑制される。しかも、突片４７は、第１入賞部屋３２の底壁３２Ｂとの間に段差Ｄ１を形成するので、その段差Ｄ１によって第１入賞部屋３２へと入球する遊技球の勢いを増大させることが可能となり、球詰まりが一層抑制される。
【００３５】
また、遊技機１０では、傾斜誘導路２５によって左側へ案内された遊技球が第１開閉扉４１に受け止められて第１大入賞口３１へ入球可能となる。そして、突片４７は、第１開閉扉４１の右側部分に設けられているので、突片４７の上に遊技球が乗りやすくなり、後から第１大入賞口３１に入球する遊技球の勢いを増大させ易くなる。
【００３６】
また、遊技機１０では、入球規制部材５１によって第１入賞部屋３２の間口が狭められているので、第１入賞部屋３２内を転動する遊技球の数を減らして、第１入賞部屋３２内での球詰まりを抑制することが可能となる。しかも、第１入賞部屋３２の奥壁３２Ｄのうち入球規制部材５１の裏側に位置する部分には、第１入賞部屋３２の奥側へと陥没する陥没部５２が設けられているので、入球規制部材５１が第１入賞部屋３２内を転動する遊技球の妨げになることが抑制される。
【００３７】
なお、本実施形態において、以下の構成としても、上述と同様の作用効果を奏することが可能である。
（１）第２大入賞部６０の第２開閉扉８１にも、第１開閉扉１の突片４７と同様に下端縁から突出する突片を設けてもよい。また、第１大入賞部３０の第１開閉扉４１に突片４７を設ける代わりに、第２大入賞部６０の第２開閉扉８１に、突片４７と同様に、下端縁から突出する突片を設けてもよい。
【００３８】
（２）傾斜誘導部２５が遊技球を右側へ案内すると共に、第１入賞部屋３２の底壁３２Ｂが左下がりに傾斜する構成として、突片４７を第１開閉扉４１の左寄り部分の下端縁から突出させてもよい。
【００３９】
（３）第１入賞部屋３２に、ガイドリブ５３を備えない構成としてもよい。また、第１入賞部屋３２に、入球規制部材５１及び陥没部５２を備えない構成としてもよい。
【００４０】
（４）第１入賞部屋３２において、入球規制部材５１の裏側に遊技球が通過可能なスペースを確保できる場合には、陥没部５２を備えない構成としてもよい。
【００４１】
（５）突片４７が第１入賞部屋３２の底壁３２との間に段差Ｄ１（図８（Ｂ）参照）を形成しない構成としてもよい。即ち、突片４７が底壁３２Ｂよりも低い位置に配置されてもよい。
【００４２】
（６）第１入賞部屋３２から遊技球を排出する検出孔３４Ａ（図５参照）は、第１入賞部屋３２の底壁３２Ｂに設けられてもよいし、奥壁３２Ｄに設けられてもよい。
【００４３】
（７）第１開閉扉４１に突片４７を設ける代わりに、第１開閉扉４１の下端縁から突出する複数の突起を設けてもよい。この場合、複数の突起は、遊技球を支持可能な大きさ、配置に構成されている。
【００４４】
（８）第１開閉扉４１に突片４７を設ける代わりに、扉本体４２の下端縁の裏面のうち右側寄り部分（球排出路３５に近い側の部分）に凹部を形成してもよい。この構成では、扉本体４２の裏面を転動する遊技球を凹部に下らせることで、その遊技球を増勢してから第１入賞部屋３２に入球させることが可能となる。
【００４５】
（９）第１開閉扉４１の扉本体４２の裏面に凹凸を形成したりシールを貼ったりすることによって、扉本体４２の右側寄り部分における下端縁の裏面の摩擦係数を他の部分の摩擦係数よりも小さくし、その摩擦係数の差異によって遊技球の増勢を計ってもよい。
【００４６】
＜付記＞
以下、上述した各実施の形態から抽出される発明群の特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００４７】
＜特徴Ａ群＞
以下の特徴Ａ群は、「入球口を有する」遊技機に関し、「特許文献Ａ（特開２０１４−２０４７６５号（段落［００２３］、図３，４））には、入球口の下端縁を中心に回動する可動扉によって入球口が開閉される遊技機が示されている。」という背景技術について、「特許文献Ａの遊技機では、入球口に複数の遊技球が続けて入球したときに、先に入球した遊技球と後から入球した遊技球の両方の勢いが低減されると、それら遊技球が噛み合って球詰まりを起こすという問題が考えられる。」という課題をもってなされたものである。
【００４８】
［特徴Ａ１］
遊技球が入球可能な入球口（第１大入賞口３１）と、前記入球口の下端縁を中心に回動して前記入球口を開閉する可動扉（第１開閉扉４１）と、を有する入球装置（第１入賞部３０）を備えた遊技機（遊技機１０）であって、
前記入球装置には、
前記入球口に入球した遊技球を排出口（検出孔３４Ａ）へ転動させる転動領域（第１入賞部屋３２）と、
前記転動領域に遊技球がある状態で前記入球口に新たな遊技球が入球したときに、その新たな遊技球の勢いを増大可能な増勢手段（突片４７）と、が設けられている遊技機。
【００４９】
本特徴に示す構成では、入球口に複数の遊技球が続けて入球したときに、先に入球した遊技球の勢いが低減されていても、後から入球した遊技球の勢いが増勢手段によって増大されるので、先に入球した遊技球と後から入球した遊技球の両方の勢いが低減されることが抑えられる。これにより、遊技球の噛み合いが起こり難くなり、入球口に入球した遊技球の球詰まりが抑制される。
【００５０】
［特徴Ａ２］
特徴Ａ１に記載の遊技機において、
前記増勢手段は、前記可動扉の下端縁から突出して前記可動扉の回動軸より下方に配置される突片（突片４７）によって構成されている遊技機。
【００５１】
本特徴に示す構成では、可動扉の下端縁から突出した突片の上に遊技球が乗ると、回動扉が傾くことで遊技球の勢いが増大される。このように、本構成では、簡易な構成によって遊技球の勢いを増大させることが可能となる。
【００５２】
［特徴Ａ３］
特徴Ａ２に記載の遊技機において、
遊技球を左右方向の一方側へ向けて下るように流下させる傾斜案内手段（傾斜誘導部２５）を備え、
前記可動扉は、前記傾斜案内手段によって案内されてきた遊技球を受け止めて前記入球口へ入球可能に構成され、
前記突片は、前記可動扉の下端縁において左右方向の他方側に配置されている遊技機。  
【００５３】
本特徴に示す構成によれば、突片の上に遊技球が乗り易くして、後から入球する遊技球の勢いを増大させ易くなる。
【００５４】
［特徴Ａ４］
特徴Ａ３に記載の遊技機において、
前記排出口は、左右方向の他方側に配置されると共に、前記転動領域の底面は、左右方向の他方側に下るように傾斜した傾斜転動面（底壁３２Ｂの上面）となっている遊技機。
【００５５】
本特徴に示す構成では、転動領域内に進入した遊技球はそれまでの流下方向とは逆向きに流下することになり、勢いが低減され易くなっている。このため、後から入球した遊技球の勢いが弱いと球詰まりが起こり易くなるところ、後から入球した遊技球の勢いは増勢手段によって増大される。これにより、球詰まりを抑制することが可能となる。
【００５６】
［特徴Ａ５］
特徴Ａ４に記載の遊技機において、
前記転動領域には、左右方向の他方側の端部に設けられて前記転動領域の入口を狭める入球規制部材（入球規制部材５１）が設けられ、
前記突片は、前記入球規制部材に対し左右方向の一方側から近接する遊技機。
【００５７】
本特徴に示す構成では、入球規制部材によって転動領域の入り口が狭められるので、転動領域を転動する遊技球の数を減らして、転動領域内での球詰まりを抑制することが可能となる。
【００５８】
［特徴Ａ６］
特徴Ａ５に記載の遊技機において、
前記転動領域には、前記入球口に対向配置される奥壁（奥壁３２Ｄ）が設けられ、
前記奥壁の左右方向の他方側の端部には、前記入球口から離れるように窪んだ陥没部（陥没部５２）が設けられている遊技機。
【００５９】
本特徴に示す構成では、入球規制部材の裏側に陥没部が配置されることになるので、入球規制部材が転動領域を転動する遊技球の妨げになることが抑制される。
【００６０】
［特徴Ａ７］
遊技球が入球可能な入球口（第１大入賞口３１）と、前記入球口の下端縁を中心に回動して前記入球口を開閉する可動扉（第１開閉扉４１）と、を有する入球装置（第１大入賞部３０）を備えた遊技機（遊技機１０）であって、
前記入球装置には、前記入球口に入球した遊技球を排出口（検出孔３４Ａ）へ転動させる傾斜転動面（底壁３２Ｂの上面）を底部に有する転動領域（第１入賞部屋３２）が設けられ、
前記可動扉の下端縁には、前記可動扉の回動軸（回動軸部４１Ｊ）より下方に配置されて、前記可動扉が開状態となったときに遊技球が乗り上げ可能な突片（突片４７）が設けられ、
前記突片は、前記可動扉が開状態のときに前記傾斜転動面より上側に配置されて、前記傾斜転動面との間に段差（段差Ｄ１）を形成する遊技機。
【００６１】
本特徴に示す構成では、可動扉の下端縁から突出した突片の上に遊技球が乗ると、回動扉が傾くことで遊技球の勢いが増大される。従って、入球口に複数の遊技球が続けて入球したときに先に入球した遊技球の勢いが低減されていても、後から入球した遊技球が可動扉の突片に乗り上げることでその遊技球の勢いが増大されるので、先に入球した遊技球と後から入球した遊技球の両方の勢いが低減されることが抑えられる。これにより、遊技球の噛み合いが起こり難くなり、入球口に入球した遊技球の球詰まりが抑制される。
【００６２】
［特徴Ａ８］
特徴Ａ７に記載の遊技機において、
前記可動扉の下端より部分の裏面には、開状態において該裏面で受け止めた遊技球を前記入球口へと誘導する誘導突部（誘導突部４２Ｔ）が設けられ、
前記突片は、前記誘導突部に隣接配置されて、前記誘導突部により誘導された遊技球を受け止め可能に構成されている遊技機。
【００６３】
本特徴に示す構成によれば、誘導突部によって遊技球を突片の上に乗り易くして、後から入球する遊技球の勢いを増大させ易くなる。
【００６４】
［特徴Ａ９］
特徴Ａ７又はＡ８に記載の遊技機において、
遊技球を左右方向の一方側へ向けて下るように流下させる傾斜案内手段（傾斜誘導部２５）を備え、
前記可動扉は、前記傾斜案内手段によって案内されてきた遊技球を受け止めて前記入球口へ入球可能に構成され、
前記突片は、前記可動扉の下端縁において左右方向の他方側に配置されている遊技機。
【００６５】
本特徴に示す構成によれば、突片の上に遊技球を乗り易くして、後から入球する遊技球の勢いを増大させ易くなる。
【００６６】
［特徴Ａ１０］
特徴Ａ９に記載の遊技機において、
前記排出口は、左右方向の他方側に配置されると共に、前記傾斜転動面（底壁３２Ｂの上面）は、左右方向の他方側に下るように傾斜している遊技機。
【００６７】
本特徴に示す構成では、転動領域内に進入した遊技球はそれまでの流下方向とは逆向きに流下することになり、勢いが低減され易くなっている。このため、後から入球した遊技球の勢いが弱いと球詰まりが起こり易くなるところ、後から入球した遊技球が可動扉の突片に乗り上がると、その遊技球の勢いが増大される。これにより、球詰まりを抑制することが可能となる。
【００６８】
［特徴Ａ１１］
特徴Ａ１０に記載の遊技機において、
前記転動領域には、左右方向の他方側の端部に設けられて前記転動領域の入口を狭める入球規制部材（入球規制部材５１）が設けられ、
前記突片は、前記入球規制部材に対し左右方向の一方側から近接する遊技機。
【００６９】
本特徴に示す構成では、入球規制部材によって転動領域の入り口が狭められるので、転動領域を転動する遊技球の数を減らして、転動領域内での球詰まりを抑制することが可能となる。
【００７０】
［特徴Ａ１２］
特徴Ａ１１に記載の遊技機において、
前記転動領域には、前記入球口に対向配置される奥壁（奥壁３２Ｄ）が設けられ、
前記奥壁の左右方向の他方側の端部には、前記入球口から離れるように窪んだ陥没部（陥没部５２）が設けられている遊技機。
【００７１】
本特徴に示す構成では、入球規制部材の裏側に陥没部が配置されることになるので、入球規制部材が転動領域を転動する遊技球の妨げになることが抑制される。
【００７２】
［特徴Ａ１３］
遊技球が入球可能な入球口（第１大入賞口３１）と、前記入球口の下端縁を中心に回動して前記入球口を開閉する可動扉（第１開閉扉４１）と、を有する入球装置（第１大入賞部３０）を備えた遊技機（遊技機１０）であって、
前記入球装置には、２つの遊技球が続けて前記入球口に入球したときに、後から入球する遊技球の勢いを増大可能な増勢手段（突片４７）が設けられている遊技機。
【００７３】
本特徴に示す構成では、入球口に複数の遊技球が続けて入球したときに、先に入球した遊技球の勢いが低減されていても、後から入球した遊技球の勢いが増勢手段によって増大されるので、先に入球した遊技球と後から入球した遊技球の両方の勢いが低減されることが抑えられる。これにより、遊技球の噛み合いが起こり難くなり、入球口に入球した遊技球の球詰まりが抑制される。
【００７４】
なお、特徴Ａ１３に示す構成に、特徴Ａ２〜Ａ１２に示す構成が組み合わされてもよい。
【符号の説明】
【００７５】
１０    遊技機
２５    傾斜誘導部
３０    第１大入賞部
３１    第１大入賞口
３２    第１入賞部屋
４１    第１開閉扉
４７    突片
５１    入球規制部材
５２    陥没部
【図１】
2019058440.tif 000003
【図２】
2019058440.tif 000004
【図３】
2019058440.tif 000005
【図４】
2019058440.tif 000006
【図５】
2019058440.tif 000007
【図６】
2019058440.tif 000008
【図７】
2019058440.tif 000009
【図８】
2019058440.tif 000010
【図９】
2019058440.tif 000011